(57)【要約】【課題】プリント基板を、外部機器がハイサイド接続される仕様と、ローサイド接続される仕様とに共用できるように構成しながら、抵抗搭載用のパッドの形成スペースを極力小さくする。【解決手段】接点電流用抵抗Ｒを搭載する第１パッド１５（ａ，ｂ）を形成するとともに、ハイサイド接続時用のジャンパ抵抗Ｒ３を搭載する第２パッド１６（ａ，ｂ）と、ローサイド接続時用のジャンパ抵抗Ｒ４を搭載する第３パッド１７（ａ，ｂ）を直列状に設け、第２パッド１６（ａ，ｂ）および第３パッド１７（ａ，ｂ）の一方のパッド１６ａ，１７ａを第１パッド１５（ａ，ｂ）における前記入力ポートｐに接続されていない側のパッド１５ｂに接続するとともに、第２パッド１６（ａ，ｂ）の他方のパッド１６ｂをグランドに、また、第３パッ１７ドの他方のパッド１７ｂを電源側に接続してある。【選択図】        図３
2004200205.tif 000002
【特許請求の範囲】
【請求項１】
外部機器に接続される入力ポートに接点電流用抵抗をハイサイド接続あるいはローサイド接続可能に抵抗搭載用のパッドを形成したプリント基板であって、
前記接点電流用抵抗を搭載する第１パッドを形成するとともに、ハイサイド接続時用のジャンパ抵抗を搭載する第２パッドと、ローサイド接続時用のジャンパ抵抗を搭載する第３パッドを直列状に設け、第２パッドおよび第３パッドの一方のパッドを第１パッドにおける前記入力ポートに接続されていない側のパッドに接続するとともに、第２パッドの他方のパッドを電源側に、また、第３パッドの他方のパッドをグランドに接続してあることを特徴とするプリント基板。
【発明の詳細な説明】
【０００１】
【発明の属する技術分野】
本発明は、主として農作業機や土工機などの作業機における制御ユニットに使用されるプリント基板に関する。
【０００２】
【従来の技術】
従来、作業機における制御ユニットは、各種のチップ部品やリード部品が搭載実装されたプリント基板をケースに内装した上でポッティング材を充填して絶縁性および防水性が図られた構造となっている（特許文献１参照）。
【０００３】
【特許文献１】
特開２０００−２１７５２８号公報
【０００４】
【発明が解決しようとする課題】
プリント基板上にＣＰＵなどへのスイッチング入力回路を構成するに当たり、入力ポートｐにスイッチやセンサなどの外部機器８がハイサイド接続される仕様〔図１０（イ）参照〕と、ローサイド接続される仕様〔図１０（ロ）参照〕とで、接点電流用抵Ｒの接続仕様が異なる。このようなスイッチング入力回路を兼用するために、図１１に示すように、外部機器８をハイサイド接続する時に接点電流用抵抗Ｒを搭載するパッド２１(ａ，ｂ)と、外部機器８をローサイド接続するに接点電流用抵抗Ｒを搭載するパッド２２(ａ，ｂ)とを予め設けておいて、外部機器８の接続仕様に対応していずれかのパッド２１(ａ，ｂ)，２２(ａ，ｂ)に接点電流用抵抗Ｒを搭載することが提案されている。
【０００５】
上記のように、接点電流用抵抗Ｒを搭載する２種類のパッド２１(ａ，ｂ)，２２(ａ，ｂ)を予め設けておくことでプリント基板の共用化を図ることができのであるが、接点電流用抵抗Ｒは寸法が大きい（例えば5.0×2.5mm）ために、これを搭載する２種類のパッドを形成しておくと基板上で抵抗実装用のスペースが大きく必要となるものであった。特に、作業機における制御ユニットでは、ＣＰＵに多数のスイッチング入力回路が接続されるので、これらスイッチング入力回路のそれぞれを上記のような共用仕様にすると、プリント基板が大型化するとともにコストアップを招く一因となるもであった。
【０００６】
本発明は、このような点に着目してなされたものであって、外部機器がハイサイド接続される仕様と、ローサイド接続される仕様とに共用できるように構成しながら、抵抗搭載用のパッドの形成スペースを極力小さくして、基板の小型化およびコスト低減を図ることを主たる目的とする。
【０００７】
【課題を解決するための手段】
上記目的を達成するために、本発明は次のような構成を採用した。
【０００８】
すなわち、請求項１に係る本発明は、外部機器に接続される入力ポートに接点電流用抵抗をハイサイド接続あるいはローサイド接続可能に抵抗搭載用のパッドを形成したプリント基板であって、
前記接点電流用抵抗を搭載する第１パッドを形成するとともに、ハイサイド接続時用のジャンパ抵抗を搭載する第２パッドと、ローサイド接続時用のジャンパ抵抗を搭載する第３パッドを直列状に設け、第２パッドおよび第３パッドの一方のパッドを第１パッドにおける前記入力ポートに接続されていない側のパッドに接続するとともに、第２パッドの他方のパッドを電源側に、また、第３パッドの他方のパッドをグランドに接続してあることを特徴とする。
【０００９】
上記構成によると、入力ポートｐに外部機器８がハイサイド接続される場合には、図４に示すように、第１パッド１５ａ，１５ｂに接点電流用抵抗Ｒを搭載するとともに、第２パッド１６（ａ，ｂ）にジャンパ抵抗Ｒ３を搭載し、また、入力ポートｐに外部機器８がローサイド接続される場合には、図５に示すように、第１パッド１５（ａ，ｂ）に接点電流用抵Ｒを搭載するとともに、第３パッド１７（ａ，ｂ）にジャンパ抵抗Ｒ４を搭載する。
【００１０】
この場合、抵抗搭載用のパッドの数は従来より増えるが、ジャンパ抵抗は接点電流用抵抗に比べて相当小さい（例えば1.6×0.8mm）ものであり、ジャンパ抵抗のパッドが２組形成されても、接点電流用抵抗を搭載するパッドを形成するためのスペースに比べて十分小さいスペースですむ。
【００１１】
従って、請求項１の発明によると、外部機器がハイサイド接続される仕様と、ローサイド接続される仕様とに共用できるようにプリント基板を構成しながら、抵抗搭載用のパッドを形成するためのスペースを極力小さくして、基板の小型化およびコスト低減を図ることが可能となった。
【００１２】
【発明の実施の形態】
図１および図２に、本発明に係るプリント回路基板１を使用した電子回路ユニットが示されている。このユニットは、各種電子部品２を実装するとともにコネクタ３を装着したプリント基板１を樹脂製のケース４に収容し、ケース内をウレタン樹脂などのポッティング材５を充填して絶縁したものに構成されている。
【００１３】
前記ケース４は、コネクタ３が臨む入り口が広く、内奥が狭いが狭い容器状に形成されており、充填するポッティング材５の量をできるだけ少なくしてコスト低減を図るとともに、外部に露出する開口を小さくして湿気の浸入を防ぐよう構成されている。また、プリント基板１の端部にモニター用の発光ダイオード６が基板端辺より突出した状態でネジ止め固定され、その先端部がポッティング材４から露出されている。
【００１４】
図３（イ）に、スイッチやセンサなどの各種の外部機器８をＣＰＵ９にローサイド接続あるいはハイサイド接続することができる兼用型のスイッチ入力回路が、また、図３（ロ）に、基板上に形成されたスイッチ入力回路構成用のプリントパターンが示されている。
【００１５】
このスイッチ入力回路における入力ポートｐとＣＰＵポートｑとの間には、スイッチング用のトランジスタＴｒを搭載するパッド１１（ａ，ｂ，ｃ）、これに付随する抵抗Ｒ１，Ｒ２、およびコンデンサＣを搭載するパッド１２（ａ，ｂ）、１３（ａ，ｂ）、１４（ａ，ｂ）が形成されるとともに、接点電流用抵抗搭載用の第１パッド１５（ａ，ｂ）と、ジャンパ抵抗搭載用の第２パッド１６（ａ，ｂ）、および、第３パッド１７（ａ，ｂ）が形成されている。
【００１６】
ここで、第２パッド１６（ａ，ｂ）においては、一方のパッド１６ｂがグランドに接続されるとともに、他方のパッド１６ａが第１パッド１５ｂと第３パッド１７ａに接続され、かつ、第３パッド１７（ａ，ｂ）の他方のパッド１７ｂが電源側に接続されている。
【００１７】
上記したパッド構造のスイッチ入力回路では、図４に示すように、入力ポートｐに外部機器８がハイサイド接続されると、第１パッド１５（ａ，ｂ）に接点電流用抵抗Ｒを搭載するとともに、第２パッド１６（ａ，ｂ）にのみジャンパ抵抗Ｒ３を搭載することで、所望の入力論理が成立される。また、入力ポートｐに外部機器がローサイド接続されると、図５に示すように、第１パッド１５（ａ，ｂ）に接点電流用抵抗Ｒを搭載するとともに、第３パッド１７（ａ，ｂ）にのみジャンパ抵抗Ｒ４を搭載することで、所望の入力論理が成立されることになる。
【００１８】
〔別実施形態〕
本発明は、以下のような形態で実施することもできる。
【００１９】
（１）複数の入力ポートｐの接続特性が同じの場合には、図６に示すように、ジャンパ抵抗搭載用の第２パッド１６（ａ，ｂ）、および、第３パッド１７（ａ，ｂ）を共用することもできる。
【００２０】
（２）図７〜図９に示すように、多数の入力ポートｐを備えて各種の仕様で外部機器を接続することができる。
【図面の簡単な説明】
【図１】制御ユニットの外観斜視図
【図２】制御ユニットの縦断側面図
【図３】共用型に構成された本発明のスイッチ入力回路図（イ）とパッドパターン図（ロ）
【図４】外部機器がハイサイド接続されたスイッチ入力回路図（イ）とパッドへの部品搭載図（ロ）
【図５】外部機器がローハイサイド接続されたスイッチ入力回路図（イ）とパッドへの部品搭載図（ロ）
【図６】変形例のスイッチ入力回路図
【図７】具体例の一例を示すスイッチ入力回路図
【図８】具体例の別の例を示すスイッチ入力回路図
【図９】具体例の更に別の例を示すスイッチ入力回路図
【図１０】共用可能に構成された従来のスイッチ入力回路図
【図１１】共用可能に構成された従来のスイッチ回路を構成するパッドパターン図
【符号の説明】
１５（ａ，ｂ）          第１パッド
１６（ａ，ｂ）          第２パッド
１７（ａ，ｂ）          第３パッド
ｐ                      入力ポート
Ｒ                      接点電流用抵抗
Ｒ３                    ジャンパ抵抗
Ｒ４                    ジャンパ抵抗
【図１】
2004200205.tif 000003
【図２】
2004200205.tif 000004
【図３】
2004200205.tif 000005
【図４】
2004200205.tif 000006
【図５】
2004200205.tif 000007
【図６】
2004200205.tif 000008
【図７】
2004200205.tif 000009
【図８】
2004200205.tif 000010
【図９】
2004200205.tif 000011
【図１０】
2004200205.tif 000012
【図１１】
2004200205.tif 000013